(57)【特許請求の範囲】
【請求項１】
宅内の電流使用量が上限値を超える場合には前記宅内への電力供給を停止する制限器から宅内配線された電源線を通じて供給される電力によりバッテリを充電する充電手段と、
前記制限器からの電力供給が停止すると、前記電力供給の再開後における前記充電手段による前記バッテリの充電動作を制限する充電制限手段と、
前記電力供給の再開後、所定条件が満足されると前記制限を解除する制限解除手段と、
を備えることを特徴とする充電システム。
【請求項２】
前記充電制限手段は、前記バッテリの充電動作を禁止することにより、前記バッテリの充電動作を制限すること
を特徴とする請求項１記載の充電システム。
【請求項３】
前記制限解除手段は、前記電力供給の再開後、ユーザインタフェースを通じて充電の再開を許可する操作がなされると、前記所定条件が満足されたとして前記制限を解除すること
を特徴とする請求項１又は請求項２記載の充電システム。
【請求項４】
前記宅内には、送信インタフェースが設けられ、
前記充電手段は、宅内配線された前記電源線を通じて電力供給される電源ソケットに接続される充電装置内に設けられ、
前記充電装置内には、更に、前記送信インタフェースを通じて送信される信号を受信可能な受信インタフェースが設けられており、
前記充電制限手段は、
前記制限器からの電力供給が停止すると、前記送信インタフェースを通じて、前記充電を制限するように命令する制限命令信号を送信する前記宅内の制限命令手段と、
前記受信インタフェースを通じて前記制限命令信号を受信すると、前記充電手段による前記バッテリの充電動作を制限する前記充電装置内の制限命令受付手段と、
を構成要素とする手段であり、
前記制限解除手段は、
前記電力供給の再開後、前記宅内に設けられた前記ユーザインタフェースを通じて充電の再開を許可する操作がなされると、前記送信インタフェースを通じて前記制限を解除するように命令する解除命令信号を送信する前記宅内の解除命令手段と、
前記受信インタフェースを通じて前記解除命令信号を受信すると、前記制限を解除する前記充電装置内の解除命令受付手段と、
を構成要素とする手段であること
を特徴とする請求項３記載の充電システム。
【請求項５】
前記制限解除手段は、前記電力供給の再開後、所定時間が経過すると、前記所定条件が満足されたとして前記制限を解除すること
を特徴とする請求項１又は請求項２記載の充電システム。
【請求項６】
前記宅内には、送信インタフェースが設けられ、
前記充電手段は、宅内配線された前記電源線を通じて電力供給される電源ソケットに接続される充電装置内に設けられ、
前記充電装置内には、更に、前記送信インタフェースを通じて送信される信号を受信可能な受信インタフェースが設けられており、
前記充電制限手段は、
前記制限器からの電力供給が停止すると、前記送信インタフェースを通じて、前記充電を制限するように命令する制限命令信号を送信する前記宅内の制限命令手段と、
前記受信インタフェースを通じて前記制限命令信号を受信すると、前記充電手段による前記バッテリの充電動作を制限する前記充電装置内の制限命令受付手段と、
を構成要素とする手段であり、
前記制限解除手段は、
前記電力供給の再開後に所定時間が経過すると、前記送信インタフェースを通じて、前記制限を解除するように命令する解除命令信号を送信する前記宅内の解除命令手段と、
前記受信インタフェースを通じて前記解除命令信号を受信すると、前記制限を解除する前記充電装置内の解除命令受付手段と、
を構成要素とする手段であること
を特徴とする請求項５記載の充電システム。
【請求項７】
前記制限解除手段は、前記宅内の電流使用量を検知可能な検知器から、前記宅内の電流使用量についての検知結果を取得し、この検知結果に基づき、前記宅内の電流使用量が所定条件を満足すると、前記制限を解除すること
を特徴とする請求項１又は請求項２記載の充電システム。
【請求項８】
前記所定条件は、前記充電動作の制限を解除すると前記制限器の動作により電力供給が再度停止される前記宅内の電流使用量を基準に定められていること
を特徴とする請求項７記載の充電システム。
【請求項９】
前記宅内には、送信インタフェースが設けられ、
前記充電手段は、宅内配線された前記電源線を通じて電力供給される電源ソケットに接続される充電装置内に設けられ、
前記充電装置内には、更に、前記送信インタフェースを通じて送信される信号を受信可能な受信インタフェースが設けられており、
前記充電制限手段は、
前記制限器からの電力供給が停止すると、前記送信インタフェースを通じて、前記充電を制限するように命令する制限命令信号を送信する前記宅内の制限命令手段と、
前記受信インタフェースを通じて前記制限命令信号を受信すると、前記充電手段による前記バッテリの充電動作を制限する前記充電装置内の制限命令受付手段と、
を構成要素とする手段であり、
前記制限解除手段は、
前記電力供給の再開後に、前記検知器から前記宅内の電流使用量についての検知結果を逐次取得し、この検知結果が示す前記宅内の電流使用量が所定条件を満足すると、前記送信インタフェースを通じて、前記制限を解除するように命令する解除命令信号を送信する前記宅内の解除命令手段と、
前記受信インタフェースを通じて前記解除命令信号を受信すると、前記制限を解除する前記充電装置内の解除命令受付手段と、
を構成要素とする手段であること
を特徴とする請求項７又は請求項８記載の充電システム。
【請求項１０】
宅内の電流使用量が上限値を超える場合には前記宅内への電力供給を停止する制限器から宅内配線された電源線を通じて供給される電力を、予め設定された使用可能電流量を逸脱しない範囲内で使用して、バッテリを充電する充電手段と、
前記制限器からの電力供給が停止すると、現在設定されている使用可能電流量での前記充電手段による前記バッテリの充電動作を禁止する充電禁止手段と、
前記宅内の電流使用量を検知可能な検知器から前記宅内の電流使用量についての検知結果を取得し、この検知結果に基づき、前記使用可能電流量の設定値を変更する設定変更手段と、
を備え、
前記設定変更手段は、前記電力供給の再開後、前記検知器から取得した検知結果が示す前記宅内の電流使用量に基づき、前記使用可能電流量の設定値を変更して、前記充電手段に前記変更後の使用可能電流量を逸脱しない範囲内での前記バッテリの充電動作を開始させること
を特徴とする充電システム。
【請求項１１】
前記宅内には、送信インタフェースが設けられ、
前記充電手段は、宅内配線された前記電源線を通じて電力供給される電源ソケットに接続される充電装置内に設けられ、
前記充電装置内には、更に、前記送信インタフェースを通じて送信される信号を受信可能な受信インタフェースが設けられており、
前記充電禁止手段は、
前記制限器からの電力供給が停止すると、前記送信インタフェースを通じて、前記充電を禁止するように命令する禁止命令信号を送信する前記宅内の禁止命令手段と、
前記受信インタフェースを通じて前記禁止命令信号を受信すると、現在設定されている使用可能電流量での前記充電手段による前記バッテリの充電動作を禁止する前記充電装置内の禁止命令受付手段と、
を構成要素とする手段であり、
前記設定変更手段は、
前記電力供給の再開後に、前記検知器から前記宅内の電流使用量についての検知結果を取得し、この検知結果に基づき、新たに設定すべき前記使用可能電流量を決定し、前記決定した前記使用可能電流量を通知する通知信号を、前記送信インタフェースを通じて送信する前記宅内の通知手段と、
前記受信インタフェースを通じて前記通知信号を受信すると、前記使用可能電流量の設定値を、前記通知信号が示す前記使用可能電流量に変更して、前記充電手段に前記変更後の使用可能電流量を逸脱しない範囲内での前記バッテリの充電動作を開始させる前記充電装置内の変更手段と、
を構成要素とする手段であること
を特徴とする請求項１０記載の充電システム。
【請求項１２】
宅内の電流使用量が上限値を超える場合には前記宅内への電力供給を停止する制限器から宅内配線された電源線を通じて電力供給される電源ソケットに接続され、当該電源ソケットを通じて制限器から供給される電力を使用してバッテリを充電し、前記充電を制限するように命令する制限命令信号を受信すると、前記制限命令信号に従って前記バッテリの充電動作を制限し、前記制限を解除するように命令する解除命令信号を受信すると、前記制限を解除する構成にされた充電装置
による前記バッテリの充電を制御する充電制御装置であって、
送信インタフェースと、
前記制限器からの電力供給が停止すると、前記送信インタフェースを通じて前記制限命令信号を前記充電装置に送信する制限命令手段と、
前記電力供給の再開後、所定条件が満足されると、前記送信インタフェースを通じて前記解除命令信号を前記充電装置に送信する解除命令手段と、
を備えることを特徴とする充電制御装置。
【請求項１３】
前記制限命令信号は、前記充電を禁止するように命令する信号であること
を特徴とする請求項１２記載の充電制御装置。
【請求項１４】
前記解除命令手段は、自装置が備えるユーザインタフェースを通じて充電の再開を許可する操作がなされると、前記所定条件が満足されたとして、前記送信インタフェースを通じて前記解除命令信号を前記充電装置に送信すること
を特徴とする請求項１２又は請求項１３記載の充電制御装置。
【請求項１５】
前記解除命令手段は、前記電力供給の再開後、所定時間が経過すると、前記所定条件が満足されたとして、前記送信インタフェースを通じて前記解除命令信号を前記充電装置に送信すること
を特徴とする請求項１２又は請求項１３記載の充電制御装置。
【請求項１６】
前記解除命令手段は、前記宅内の電流使用量を検知可能な検知器から前記宅内の電流使用量についての検知結果を取得し、この検知結果に基づき、前記電力供給の再開後、前記宅内の電流使用量が所定条件を満足すると、前記送信インタフェースを通じて前記解除命令信号を前記充電装置に送信すること
を特徴とする請求項１２又は請求項１３記載の充電制御装置。
【請求項１７】
前記所定条件は、前記充電動作の制限を解除すると前記制限器の動作により電力供給が再度停止される前記宅内の電流使用量を基準に定められていること
を特徴とする請求項１６記載の充電制御装置。
【請求項１８】
宅内の電流使用量が上限値を超える場合には前記宅内への電力供給を停止する制限器から宅内配線された電源線を通じて電力供給される電源ソケットに接続され、当該電源ソケットを通じて制限器から供給される電力を使用してバッテリを充電し、使用可能電流量を通知する通知信号を受信すると、前記通知信号が示す前記使用可能電流量を逸脱しない範囲内で前記電源ソケットを通じて供給される電力を使用して前記バッテリを充電する一方、前記バッテリの充電を禁止するように命令する禁止命令信号を受信すると前記バッテリの充電動作を禁止し、その後、前記使用可能電流量を通知する通知信号を受信すると、前記通知信号が示す前記使用可能電流量を逸脱しない範囲内で前記電源ソケットを通じて供給される電力を使用して前記バッテリを充電する構成にされた充電装置
による前記バッテリの充電を制御する充電制御装置であって、
送信インタフェースと、
前記宅内の電流使用量を検知可能な検知器から前記宅内の電流使用量についての検知結果を取得し、この検知結果に基づき、前記充電装置に通知する前記使用可能電流量を決定し、前記決定した前記使用可能電流量を示す前記通知信号を、前記送信インタフェースを通じて前記充電装置に送信する通知手段と、
前記制限器からの電力供給が停止すると、前記送信インタフェースを通じて、前記禁止命令信号を前記充電装置に送信する禁止命令手段と、
を備え、
前記通知手段は、前記電力供給の再開後に、前記検知器から前記宅内の電流使用量についての検知結果を取得し、この検知結果に基づき、前記充電装置に通知する前記使用可能電流量を決定し、前記決定した前記使用可能電流量を記した前記通知信号を、前記送信インタフェースを通じて前記充電装置に送信すること
を特徴とする充電制御装置。
【請求項１９】
宅内の電流使用量が上限値を超える場合には前記宅内への電力供給を停止する制限器から宅内配線された電源線を通じて電力供給される電源ソケットに接続され、当該電源ソケットを通じて制限器から供給される電力を使用してバッテリを充電し、前記バッテリの充電を禁止するように命令する禁止命令信号を受信すると前記バッテリの充電動作を禁止し、その後、前記宅内の電流使用量を通知する通知信号を受信すると、前記通知信号が示す前記宅内の電流使用量に基づき前記バッテリの充電時に使用可能な電流量を決定して、前記決定した電流量を逸脱しない範囲内で前記電源ソケットを通じて供給される電力を使用して前記バッテリを充電する構成にされた充電装置
による前記バッテリの充電を制御する充電制御装置であって、
送信インタフェースと、
前記制限器からの電力供給が停止すると、前記送信インタフェースを通じて、前記禁止命令信号を前記充電装置に送信する禁止命令手段と、
前記電力供給の再開後に、前記宅内の電流使用量を検知可能な検知器から前記宅内の電流使用量についての検知結果を取得し、この検知結果に基づき、前記宅内の電流使用量を示す前記通知信号を、前記送信インタフェースを通じて前記充電装置に送信する通知手段と、
を備えることを特徴とする充電制御装置。
【請求項２０】
宅内の電流使用量が上限値を超える場合には前記宅内への電力供給を停止する制限器から宅内配線された電源線を通じて電力供給される電源ソケットに接続されるプラグと、
前記プラグを通じて供給される電力を使用して、バッテリを充電する充電手段と、
前記宅内からの電力供給の停止及び再開を検知する検知手段と、
前記検知手段により前記宅内からの電力供給が停止したことが検知されると、前記電力供給の再開後における前記充電手段による前記バッテリの充電動作を制限する充電制限手段と、
前記検知手段により前記電力供給の再開が検知された後、所定条件が満足されると前記制限を解除する制限解除手段と、
を備えることを特徴とする充電装置。
【請求項２１】
前記制限解除手段は、前記検知手段により前記電力供給の再開が検知された後、所定時間が経過すると、前記所定条件が満足されたとして前記制限を解除すること
を特徴とする請求項２０記載の充電装置。
【発明の詳細な説明】
【技術分野】
【０００１】
本発明は、宅内から供給される電力によってバッテリを充電する充電システム、充電装置、及び、充電装置によるバッテリの充電を制御する充電制御装置に関する。
【背景技術】
【０００２】
従来、バッテリから供給される電力によりモータを駆動して走行する電気自動車やハイブリッドカーが知られている。プラグイン電気自動車やプラグインハイブリッドカーに関しては、宅内の電源ソケット（所謂コンセント）にプラグを差し込むことで、電源ソケットから供給される電力により上記バッテリを充電可能である。このような車載バッテリを充電するシステムとしては、バッテリの充電開始時にバッテリが満充電となるまでの所要時間を目標充電時間として算出し、この時間分の充電動作を行う一方、停電が発生した際には、停電発生時までに充電した時間を記憶し、停電前に設定した目標充電時間から、停電発生時までに充電した時間を減算した時間を、停電解消後の目標充電時間に設定するものが知られている（例えば特許文献１参照）。また従来技術としては、充電状態に応じて充電時に用いる電流量を切り替える技術が知られている（同特許文献１参照）。
【先行技術文献】
【特許文献】
【０００３】
【特許文献１】特開平１０−２９０５３３号公報
【発明の概要】
【発明が解決しようとする課題】
【０００４】
ところで、一般家庭の宅内には、電線から供給される電力を宅内の電源ソケットに伝達する経路において、アンペアブレーカ（制限器）が設けられている。このアンペアブレーカは、宅内での電流使用量が、契約により定められた上限値を超えると、宅内への電力供給を停止するものである。宅内で発生する停電の原因として最も多いのは、このようなアンペアブレーカによる電力供給の停止動作である。
【０００５】
このような契約量を超える電力使用を原因とする停電が発生した際、ユーザは、アンペアブレーカのスイッチを操作して停電を解消する前に、例えば、停電が発生するまでに使用していた電気製品の一部使用を一旦止める。なぜなら、停電発生前と同じ状態で、アンペアブレーカのスイッチを操作して停電を解消しても、再度、電流使用量が上限値に達してアンペアブレーカによる電力供給の停止動作が行われ、停電が発生してしまう可能性が高いためである。
【０００６】
さて、車載バッテリの充電中にアンペアブレーカによる電力供給の停止動作が行われて停電が発生した場合を考える。この場合、ユーザは、車載バッテリの充電を優先するために、その他の電気製品の使用を止める対応、又は、車載バッテリの充電を止める対応を採ることができる。但し、車載バッテリの充電については、車両を走行させるための副次的な目的であり最優先するべき事柄でないことが多いため、現実的にユーザが選択する可能性の高い対応は、後者の対応である。
【０００７】
しかしながら、従来知られるシステムでは、停電解消後にも車載バッテリの充電を継続しようと動作するため、ユーザは、再停電の問題を回避するためには、アンペアブレーカのスイッチを操作して停電を解消する前に、電源ソケットに接続された充電用のプラグを抜かなければならず、不便であった。
【０００８】
本発明は、こうした問題に鑑みなされたものであり、従来よりもユーザを煩わせることなく、バッテリの充電動作による再停電を抑制可能な技術を提供することを目的とする。
【課題を解決するための手段】
【０００９】
上記目的を達成するためになされた第一の発明は、充電システムであって、宅内の電流使用量が上限値を超える場合には宅内への電力供給を停止する制限器から宅内配線された電源線を通じて供給される電力によりバッテリを充電する充電手段と、制限器からの電力供給が停止すると、電力供給の再開後における充電手段によるバッテリの充電動作を制限する充電制限手段と、電力供給の再開後、所定条件が満足されると上記制限を解除する制限解除手段と、を備えることを特徴とする（請求項１）。充電制限手段は、電力供給の再開後に、制限器の動作によって再度電力供給が停止しないように、バッテリの充電動作を制限する構成にすることができ、例えば、バッテリの充電動作を禁止することにより、バッテリの充電動作を制限する構成にすることができる（請求項２）。
【００１０】
この充電システムによれば、電力供給が停止して停電が発生するとバッテリの充電動作を制限するので、停電が解消して電力供給が再開された後に再停電が生じるのを抑制できる。特に、充電システムが、制限器から宅内配線された電源線を通じて電力供給される電源ソケットに接続される充電装置内に上記充電手段を備える構成にされている場合、ユーザは、従来のように、停電発生時に、充電装置のプラグを電源ソケットから抜かなくても再停電を回避することができる。従って、この発明によれば、従来よりもユーザを煩わせずにバッテリの充電動作による再停電を抑制することができ、利便性の高い充電システムをユーザに提供することができる。
【００１１】
尚、制限解除手段は、電力供給の再開後、ユーザインタフェースを通じて充電の再開を許可する操作がなされると、上記制限を解除する構成にすることができる（請求項３）。この構成によれば、ユーザは、他の電気製品を使用し終わった後、ユーザインタフェースを通じて上記操作を行う程度で、再停電を避けて、バッテリの充電動作を再開させることができる。尚、ユーザインタフェースは、宅内に設けられてもよいし、充電手段を備える充電装置内に設けられてもよい。
【００１２】
また、充電手段を上記充電装置に設ける場合、宅内には、送信インタフェースを設け、充電装置内には、送信インタフェースを通じて送信される信号を受信可能な受信インタフェースを設けることができる。更に、上記充電制限手段は、上記制限器からの電力供給が停止すると、送信インタフェースを通じて、充電を制限するように命令する制限命令信号を送信する宅内の制限命令手段と、受信インタフェースを通じて制限命令信号を受信すると、充電装置内の充電手段によるバッテリの充電動作を制限する当該充電装置内の制限命令受付手段と、によって構成することができる。
【００１３】
また、上記制限解除手段は、電力供給の再開後、宅内に設けられたユーザインタフェースを通じて充電の再開を許可する操作がなされると、送信インタフェースを通じて上記制限を解除するように命令する解除命令信号を送信する宅内の解除命令手段と、受信インタフェースを通じて解除命令信号を受信すると、上記制限を解除する充電装置内の解除命令受付手段と、によって構成することができる（請求項４）。この充電システムによれば、宅内の手段と充電装置内の手段との連携により、適切にバッテリの充電動作を制御することができる。
【００１４】
また、制限解除手段は、電力供給の再開後、所定時間（所定の待機時間）が経過すると、上記制限を解除する構成にされてもよい（請求項５）。この充電システムによれば、ユーザは、充電再開のために、ユーザインタフェースを操作しなくて済み、便利である。更に、この充電システムには、上記制限を解除するまでの待機時間の設定値を、ユーザインタフェースを通じたユーザの設定操作に従って変更する待機時間変更手段を設けると良い。
【００１５】
また、送信インタフェース及び受信インタフェースを上述のように設けることを前提とすれば、この充電システムにおける制限解除手段は、電力供給の再開後に所定時間が経過すると、送信インタフェースを通じて解除命令信号を送信する宅内の解除命令手段と、受信インタフェースを通じて解除命令信号を受信すると、上記制限を解除する解除命令受付手段と、によって構成することができる（請求項６）。
【００１６】
この他、制限解除手段は、宅内の電流使用量を検知可能な検知器から、宅内の電流使用量についての検知結果を取得し、この検知結果に基づき、宅内の電流使用量が所定条件を満足すると、上記制限を解除する構成にすることができる（請求項７）。上記所定条件は、充電動作の制限を解除したときに再停電が生じないように定めることができる。具体的に、上記所定条件は、充電動作の制限を解除すると制限器の動作により電力供給が再度停止される宅内の電流使用量を基準に定めることができる（請求項８）。
【００１７】
この発明によれば、宅内の電流使用量に基づいて、制限を解除するか否かを切り替えるので、所定時間後に制限を解除する手法よりも、制限解除後の再停電の発生確率を低く抑えることができる。また、送信インタフェース及び受信インタフェースを上述のように設けることを前提とすれば、この充電システムにおける制限解除手段は、電力供給の再開後に、検知器から宅内の電流使用量についての検知結果を逐次取得し、この検知結果が示す宅内の電流使用量が所定条件を満足すると、送信インタフェースを通じて解除命令信号を送信する宅内の解除命令手段と、受信インタフェースを通じて解除命令信号を受信すると上記制限を解除する解除命令受付手段と、によって構成することができる（請求項９）。
【００１８】
また、上記目的を達成するためになされた第二の発明は、上記制限器から宅内配線された電源線を通じて供給される電力を、予め設定された使用可能電流量を逸脱しない範囲内で使用して、バッテリを充電する充電手段と、上記検知器から宅内の電流使用量についての検知結果を取得し、この検知結果に基づき、使用可能電流量の設定値を変更する設定変更手段と、を備えることを特徴とする充電システムである。この充電システムによれば、宅内の電流使用量に基づいて、充電に使用可能な電流量を設定し、この設定した電流量を逸脱しない範囲内で、バッテリの充電を行うので、停電の発生を抑制することができて、更には、停電解消後の再停電を抑制することができる。また自動で使用可能電流量の設定値を変更するので、再停電を回避するためにユーザを煩わせずに済む。
【００１９】
尚、この充電システムにおいて、設定変更手段は、電力供給の再開後に、検知器から宅内の電流使用量についての検知結果を取得し、この検知結果に基づき、使用可能電流量の設定値を変更する構成にすることができる。更に言えば、この充電システムは、制限器からの電力供給が停止すると、現在設定されている使用可能電流量での充電手段によるバッテリの充電動作を禁止する充電禁止手段を備える構成にすることができる。この場合、設定変更手段は、上記充電禁止手段による充電動作の禁止がなされた後の電力供給の再開後に、検知器から取得した検知結果が示す宅内の電流使用量に基づき、使用可能電流量の設定値を変更して、充電手段に変更後の使用可能電流量を逸脱しない範囲内でのバッテリの充電動作を開始させることができる（請求項１０）。この充電システムによれば、電力供給の再開後に使用可能電流量の設定値が変更されるまでは、バッテリの充電動作が再開されないので、再停電の発生を一層抑制することができる。
【００２０】
尚、宅内に上記送信インタフェースが設けられ、充電装置内に上記受信インタフェースが設けられていることを前提とすれば、充電禁止手段は、制限器からの電力供給が停止すると、送信インタフェースを通じて、充電を禁止するように命令する禁止命令信号を送信する宅内の禁止命令手段と、受信インタフェースを通じて禁止命令信号を受信すると、現在設定されている使用可能電流量での充電手段によるバッテリの充電動作を禁止する充電装置内の禁止命令受付手段と、を備えた構成にすることができる。
【００２１】
また、設定変更手段は、電力供給の再開後に、検知器から宅内の電流使用量についての検知結果を取得し、この検知結果に基づき、新たに設定すべき使用可能電流量を決定し、決定した使用可能電流量を通知する通知信号を、送信インタフェースを通じて送信する宅内の通知手段と、受信インタフェースを通じて通知信号を受信すると、使用可能電流量の設定値を、通知信号が示す使用可能電流量に変更して、充電手段に変更後の使用可能電流量を逸脱しない範囲内でのバッテリの充電動作を開始させる充電装置内の変更手段と、を備えた構成にすることができる（請求項１１）。
【００２２】
この他、設定変更手段は、電力供給の再開後に検知器から宅内の電流使用量についての検知結果を取得し、この検知結果に基づき、宅内の電流使用量を通知する通知信号を、送信インタフェースを通じて送信する宅内の通知手段と、受信インタフェースを通じて通知信号を受信すると、この通知信号が示す宅内の電流使用量に基づき、使用可能電流量の設定値を変更する充電装置内の変更手段と、を備えた構成にされてもよい。
【００２３】
また、第三の発明は、上記制限器から宅内配線された電源線を通じて電力供給される電源ソケットに接続され、当該電源ソケットを通じて制限器から供給される電力を使用してバッテリを充電し、制限命令信号を受信すると、この制限命令信号に従ってバッテリの充電動作を制限し、解除命令信号を受信すると、上記制限を解除する構成にされた充電装置によるバッテリの充電を制御する充電制御装置であって、送信インタフェースと、制限器からの電力供給が停止すると、送信インタフェースを通じて制限命令信号を充電装置に送信する制限命令手段と、電力供給の再開後、所定条件が満足されると、送信インタフェースを通じて解除命令信号を充電装置に送信する解除命令手段と、を備えることを特徴とする（請求項１２）。この充電制御装置と上述の充電装置とを組み合わせれば、第一の発明に対応する充電システムを構成することができる。
【００２４】
尚、制限命令手段は、上記制限命令信号として、充電を禁止するように命令する信号を充電装置に送信する構成にすることができる（請求項１３）。また、解除命令手段は、自装置が備えるユーザインタフェースを通じて充電の再開を許可する操作がなされると、送信インタフェースを通じて解除命令信号を充電装置に送信する構成にすることができる（請求項１４）。更に言えば、この充電制御装置における解除命令手段は、上述した充電システムにおけるその他の解除命令手段と同様の構成にすることができる（請求項１５〜請求項１７）。
【００２５】
また、第四の発明は、上記制限器から宅内配線された電源線を通じて電力供給される電源ソケットに接続され、当該電源ソケットを通じて制限器から供給される電力を使用してバッテリを充電し、使用可能電流量を通知する通知信号を受信すると、この通知信号が示す使用可能電流量を逸脱しない範囲内で電源ソケットを通じて供給される電力を使用してバッテリを充電する構成にされた充電装置によるバッテリの充電を制御する充電制御装置であって、送信インタフェースと、検知器から宅内の電流使用量についての検知結果を取得し、この検知結果に基づき、充電装置に通知する使用可能電流量を決定し、決定した使用可能電流量を示す通知信号を、送信インタフェースを通じて充電装置に送信する通知手段と、を備えることを特徴とする。この充電制御装置と上記充電装置とを組み合わせれば、第二の発明に対応する充電システムを構成することができる。
【００２６】
尚、充電装置が、バッテリの充電を禁止するように命令する禁止命令信号を受信するとバッテリの充電動作を禁止し、その後、使用可能電流量を通知する通知信号を受信すると、通知信号が示す使用可能電流量を逸脱しない範囲内で電源ソケットを通じて供給される電力を使用してバッテリを充電する構成にされている場合、充電制御装置は、制限器からの電力供給が停止すると、送信インタフェースを通じて、禁止命令信号を充電装置に送信する禁止命令手段を備え、通知手段が、電力供給の再開後に、検知器から宅内の電流使用量についての検知結果を取得し、この検知結果に基づき、充電装置に通知する使用可能電流量を決定し、決定した使用可能電流量を記した通知信号を、送信インタフェースを通じて充電装置に送信する構成にすることができる。
【００２７】
この他、充電装置が、宅内の電流使用量を通知する通知信号を受信すると、通知信号が示す宅内の電流使用量に基づきバッテリの充電時に使用可能な電流量を決定して、決定した電流量を逸脱しない範囲内で電源ソケットを通じて供給される電力を使用してバッテリを充電する構成にされている場合、充電制御装置の通知手段は、電力供給の再開後に、検知器から宅内の電流使用量についての検知結果を取得し、この検知結果に基づき、宅内の電流使用量を示す通知信号を、送信インタフェースを通じて充電装置に送信する構成にすることができる（請求項１９）。
【００２８】
また、第五の発明は、充電装置であって、上記制限器から宅内配線された電源線を通じて電力供給される電源ソケットに接続されるプラグと、プラグを通じて供給される電力を使用して、バッテリを充電する充電手段と、宅内からの電力供給の停止及び再開を検知する検知手段と、検知手段により宅内からの電力供給が停止したことが検知されると、電力供給再開後における充電手段によるバッテリの充電動作を制限する充電制限手段と、検知手段により電力供給の再開が検知された後、所定条件が満足されると上記制限を解除する制限解除手段と、を備えることを特徴とする（請求項２０）。この発明によれば、第一の発明に対応する充電システムとしての機能を、充電装置単体で実現することができる。従って、この発明によれば、第一の発明に対応する充電システムを容易に導入することができる。
【００２９】
尚、この充電装置における上記制限解除手段は、上述した充電システムと同様、検知手段により電力供給の再開が検知された後、所定時間が経過すると、上記制限を解除する構成にすることができる（請求項２１）。
【図面の簡単な説明】
【００３２】
【図１】充電制御装置３０及び充電装置５０を備える充電システムの構成図である。
【図２】充電装置５０の詳細構成を表す図である。
【図３】充電制御装置３０の制御ユニット３７が実行する充電制御信号出力処理を表すフローチャートである。
【図４】制御ユニット３７が実行する充電開始制御処理を表すフローチャートである。
【図５】制御ユニット３７が実行する自動再開処理を表すフローチャートである。
【図６】充電装置５０の制御ユニット５７が実行する状態切替処理を表すフローチャートである。
【図７】第二実施例における充電装置６０の構成を表す図である。
【図８】第二実施例の状態切替処理を表すフローチャートである。
【図９】第二実施例の充電開始制御処理を表すフローチャートである。
【図１０】第三実施例の充電制御信号出力処理及び自動再開処理を表すフローチャートである。
【図１１】第三実施例の状態切替処理を表すフローチャートである。
【図１２】第三実施例の状態切替処理のサブルーチンとして実行される充電開始制御処理を表すフローチャートである。
【図１３】第四実施例の充電制御信号出力処理を表すフローチャートである。
【図１４】第四実施例の自動再開処理を表すフローチャートである。
【図１５】充電装置７０を備える第五実施例の充電システムの構成図である。
【図１６】充電装置７０の制御ユニット７７が実行する充電制御処理を表すフローチャートである。
【発明を実施するための形態】
【００３３】
以下に本発明の実施例について、図面と共に説明する。
［第一実施例］
本実施例の充電システム１は、プラグイン電気自動車やプラグインハイブリッドカー等の車両５に搭載されるモータ駆動用の高圧バッテリＢＨ（図２参照）を充電するためのシステムであり、図１に示すように、宅内に設置される充電制御装置３０と、車両に搭載される充電装置５０と、を備えるものである。
【００３４】
充電制御装置３０が設置される宅内には、アンペアブレーカ１１、漏電遮断器（図示せず）及び配線用遮断器群１３を備えた分電盤１０が設置されており、充電制御装置３０は、アンペアブレーカ１１、漏電遮断器及び配線用遮断器を通じて電力会社から供給される電力を使用して動作する。
【００３５】
アンペアブレーカ１１は、周知のように、宅内の電流使用量が上限値を超える場合には宅内への電力供給を停止する電流制限器である。上限値は、周知のように電力会社との契約により定められる。一方、配線用遮断器は、宅内において複数系統配線された各電源線の端点に設置されるものであり、配線用遮断器群１３を構成する系統毎の上記配線用遮断器は、担当する系統に過剰な電流（上限値を超える電流）が流れたときに電路を遮断しアンペアブレーカからの当該系統に対する電力供給を停止するものである。配線用遮断器には、系統毎に、アンペアブレーカ１１に設定される上限値より低い上限値が設定される。例えば、アンペアブレーカの４０アンペアに対し２０アンペアといった具合である。
【００３６】
また、本実施例の分電盤１０には、アンペアブレーカ１１から配線用遮断器群１３に至る経路において、宅内の電流使用量Ａ０を検知可能な電流計１５が設けられている。電流計１５は、アンペアブレーカ１１から宅内に供給される電流量を計測することにより、宅内の電流使用量Ａ０を検知する。この電流計１５の検知（計測）結果は、充電制御装置３０に入力される。
【００３７】
続いて、充電制御装置３０の詳細構成を説明する。本実施例の充電制御装置３０は、分電盤１０から自装置が管理する電源ソケット３１への電源線に接続された電源ユニット３３を備える。電源ソケット３１には、充電プラグＰＬを介した充電装置５０の接続有無を検知する接続検知部３１１が設けられており、接続検知部３１１の検知結果は、充電制御装置３０が備える制御ユニット３７に入力される。尚、充電プラグＰＬを介した充電装置５０の接続有無は、通電の有無によって検知可能である。
【００３８】
また、電源ユニット３３は、分電盤１０から供給される交流電力を直流電力に変換して自装置が備えるバッテリ３４を充電し、更には当該充電制御装置３０内の各部への電力供給を行うものである。この充電制御装置３０がバッテリ３４を備えるのは、例えばアンペアブレーカ１１が落ちて停電が発生した際にも充電制御装置３０を継続的に動作させるためである。停電時（即ち、分電盤１０からの電力供給停止時）、電源ユニット３３は、バッテリ３４から供給される電力を充電制御装置３０内の各部に提供する。
【００３９】
この他、電源ユニット３３は、アンペアブレーカ１１が落ちるなどして発生する停電の発生有無を検知する停電検知部３３１を備える。具体的に、停電検知部３３１は、分電盤１０からの電力供給の有無によって、停電の発生有無を検知する。この停電検知部３３１での検知結果は、制御ユニット３７に入力される。
【００４０】
また、充電制御装置３０は、充電装置５０との間で電源線通信可能な通信インタフェース３５を備える。この通信インタフェース３５は、制御ユニット３７から入力される送信対象の信号を、電源線通信により、電源ソケット３１を通じて、この電源ソケット３１に接続された充電装置５０に送信する。即ち、充電制御装置３０が管理する電源ソケット３１を通じては、高圧バッテリＢＨを充電するための交流電力が充電装置５０に提供される他、充電装置５０に対する通信信号が出力される。
【００４１】
また、制御ユニット３７は、マイクロコンピュータ等により構成され、充電制御装置３０が備えるユーザインタフェース３８を通じて入力されるユーザの操作信号に従って各種処理を実行するものである。例えば、制御ユニット３７は、ユーザの操作信号に従って、充電装置５０による高圧バッテリＢＨの充電動作を制御するための充電制御信号を、通信インタフェース３５を通じて充電装置５０に送信する。
【００４２】
この他、制御ユニット３７は、停電検知部３３１からの入力信号に基づき、通信インタフェース３５を通じて充電装置５０に送信する上記充電制御信号を切り替える。具体的には、停電検知部３３１からの入力信号に基づき、停電が発生したことを契機に、充電装置５０に対して高圧バッテリＢＨの充電を禁止するように命令する信号（後述する禁止命令信号）を上記充電制御信号として送信し、停電解消後、記憶ユニット３９が記憶する電流上限値Ａｘと、電流計１５から入力される宅内の電流使用量Ａ０とに基づき、高圧バッテリＢＨの充電を再開しても停電が発生しないタイミングを特定して、このタイミングで充電装置５０に対し充電動作の禁止状態を解除するように命令する信号（後述する解除命令信号）を上記充電制御信号として送信する。
【００４３】
尚、充電制御装置３０が備える記憶ユニット３９は、電気的にデータ書換可能な不揮発性メモリ（ＮＶＲＡＭ）で構成されており、電流上限値Ａｘとして、アンペアブレーカ１１が電力供給を停止しない上限の電流量を記憶保持する。この電流上限値Ａｘの情報は、ユーザインタフェース３８を通じてユーザの操作により入力され、記憶ユニット３９に記憶保持される。
【００４４】
続いて、充電装置５０の構成について図２を用いて説明する。本実施例の充電装置５０は、充電プラグＰＬを通じて、宅内に設置された充電制御装置３０が管理する電源ソケット３１に接続される。そして、電源ソケット３１を通じて供給される電力を用いて車両に搭載された高圧バッテリＢＨを充電する。
【００４５】
図２に示すように、充電装置５０は、車両の走行時に使用されるモータ１００を、モータ駆動回路１１０を通じて駆動する際の動力源として用いられる高圧バッテリＢＨを充電するためのものである。この充電装置５０は、コネクタ５１と、充電ユニット５３と、通信インタフェース５５と、制御ユニット５７と、リレー回路５９とを備える。
【００４６】
コネクタ５１には、充電プラグＰＬの電源ソケット３１に接続されるプラグ部とは反対側のコネクタ部が接続され、このコネクタ５１に接続された充電プラグＰＬを通じて電源ソケット３１から供給される電力は、充電ユニット５３に入力される。
【００４７】
充電ユニット５３は、電源ソケット３１から供給される交流電力を直流電力に変換し、高圧バッテリＢＨを充電するものである。この充電ユニット５３は、コネクタ５１を通じた外部からの電力供給の有無を検知する検知部５３１を備えており、検知部５３１による検知結果は、制御ユニット５７に入力される。
【００４８】
また、通信インタフェース５５は、充電制御装置３０が備える通信インタフェース３５と通信可能なインタフェースであり、通信インタフェース５５が充電制御装置３０から受信した電源線通信による通信信号は、制御ユニット５７に入力される。
【００４９】
制御ユニット５７は、通信インタフェース５５を通じて充電制御装置３０から受信した充電制御信号に基づき、リレー回路５９をオン／オフ制御して、充電ユニット５３による高圧バッテリＢＨの充電動作を許可／禁止する。リレー回路５９は、充電ユニット５３から高圧バッテリＢＨへの電力供給経路に設けられ、オフの状態では、充電ユニット５３による高圧バッテリＢＨの充電動作を禁止し、オンの状態では、充電ユニット５３による高圧バッテリＢＨの充電動作を許可する。
【００５０】
尚、これら充電装置５０の各部は、車両５に設けられた図示しない低圧バッテリ（例えば１２Ｖバッテリ）からの電力供給を受けて動作する。低圧バッテリは、周知のように、例えばＤＣ−ＤＣコンバータ（図示せず）により低圧電力に変換された高圧バッテリＢＨからの電力により充電される。
【００５１】
続いて、充電制御装置３０及び充電装置５０の制御ユニット３７，５７が実行する処理について、図３〜図６を用いて説明する。
充電制御装置３０の制御ユニット３７は、接続検知部３１１からの入力信号に基づき、電源ソケット３１と充電装置５０とが充電プラグＰＬを介して接続されたことを契機に、図３に示す充電制御信号出力処理を開始する。そして、開始後には、充電制御信号として、高圧バッテリＢＨの充電動作を禁止するように命令する禁止命令信号を、通信インタフェース３５を通じて電源線通信により充電装置５０に送信する動作を開始する（Ｓ１００）。
【００５２】
その後、制御ユニット３７は、接続検知部３１１からの入力信号に基づき、電源ソケット３１と充電装置５０との充電プラグＰＬを介した接続が解除されたか否かを判断し（Ｓ１１０）、接続が解除された場合には（Ｓ１１０でＹｅｓ）、当該充電制御信号出力処理を終了する。
【００５３】
一方、接続が解除されていない場合には（Ｓ１１０でＮｏ）、充電装置５０が充電プラグＰＬを通じて電源ソケット３１に接続された直後であるか否かを判断する（Ｓ１２０）。具体的に、充電制御信号出力処理開始後の初回の判断では、肯定判断（接続直後であると判断）し、二回目以降の判断では、否定判断（接続直後ではないと判断）する。
【００５４】
そして、肯定判断した場合には（Ｓ１２０でＹｅｓ）、図４に示す充電開始制御処理の実行を開始する（Ｓ２１０）。その後、Ｓ１１０に移行する。
充電開始制御処理を開始すると、制御ユニット３７は、電流計１５からの入力信号を参照して現在における宅内の電流使用量Ａ０を特定する（Ｓ３１０）。そして、特定した宅内の電流使用量Ａ０に、高圧バッテリＢＨの充電時に使用される電流量Ａ１を加算し、充電時の総電流量Ａｓ（＝Ａ０＋Ａ１）を算出する（Ｓ３２０）。高圧バッテリＢＨとしては、リチウムイオン電池を挙げることができるが、リチウムイオン電池の充電時には、電池電圧が所定電圧に達成するまで定電流充電により充電を行い、その後に定電圧充電に切り替える。ここでの総電流量Ａｓの算出に用いる電流量Ａ１は、定電流充電時の電流量である。定電圧充電時の電流量は、定電流充電時のそれよりも低いので、電流量Ａ１は、充電時に使用される最大電流量とも言える。
【００５５】
また、Ｓ３２０での処理を終えると、制御ユニット３７は、算出した総電流量Ａｓに所定の余裕量αを加算した値（Ａｓ＋α）と、記憶ユニット３９で記憶される電流上限値Ａｘとを比較して、加算値（Ａｓ＋α）がアンペアブレーカ１１の落ちる電流量Ａｘを超えているか否かを判断する（Ｓ３３０）。即ち、Ａｓ＋α＞Ａｘであるか否かを判断する。尚、余裕量αは、充電時の電流使用量を冗長に見積もって、充電開始後に停電が発生する確率を抑えるためのものであり、充電システム１の使い勝手を考慮してゼロ以上の値で設計者が任意に定めることができる。
【００５６】
そして、値（Ａｓ＋α）が電流上限値Ａｘを超えていると判断すると、容量オーバーの旨のメッセージを、ユーザインタフェース３８に表示し（Ｓ３４０）、その後、Ｓ３５０に移行する。尚、充電制御装置３０のユーザインタフェース３８は、各種操作スイッチの他、メッセージ表示用の表示デバイスを有するものとする。
【００５７】
Ｓ３５０に移行すると、制御ユニット３７は、停電検知部３３１の入力信号に基づき停電が発生したか否かを判断すると共に、ユーザインタフェース３８を通じて充電停止操作がなされたか否かを判断し、更には、接続検知部３１１の入力信号に基づき、充電プラグＰＬを介した電源ソケット３１と充電装置５０との接続が解除されたか否かを判断する。
【００５８】
そして、停電が発生するか、充電停止操作がなされるか、接続解除がなされると（Ｓ３５０でＹｅｓ）、当該充電開始制御処理を終了する。一方、停電が発生しておらず、充電停止操作もなされておらず、接続解除もなされていない場合には（Ｓ３５０でＮｏ）、Ｓ３１０に戻って、Ｓ３１０以降の処理を再度実行する。
【００５９】
この他、Ｓ３３０にて、Ａｓ＋α≦Ａｘであると判断すると（Ｓ３３０でＮｏ）、制御ユニット３７は、Ｓ３６０に移行し、充電装置５０に送信する充電制御信号を、禁止命令信号から充電動作の禁止状態を解除するように命令する（換言すれば、充電動作を開始するように命令する）解除命令信号に切り替えて、当該充電開始制御処理を終了する。
【００６０】
このようにして、充電開始制御処理では、宅内の電流使用量Ａ０が電流上限値Ａｘを超える可能性がある場合には、宅内の電流使用量Ａ０が下がるまで待って、充電装置５０に高圧バッテリＢＨの充電を開始させるように、充電制御信号を、通信インタフェース３５を通じて充電装置５０に送信する。
【００６１】
話を、図３に示す充電制御信号出力処理に戻す。制御ユニット３７は、Ｓ１２０で否定判断すると、Ｓ１３０に移行し、ユーザインタフェース３８を通じてユーザから充電開始操作がなされたか否かを判断する。そして、充電開始操作がなされている場合には（Ｓ１３０でＹｅｓ）、Ｓ２１０に移行して、上述した充電開始制御処理の実行を開始する。その後、Ｓ１１０に移行する。但し、充電開始操作がなされた時点で充電開始制御処理が既に並列実行されている場合又は高圧バッテリＢＨの充電動作がなされている場合には（換言すれば充電装置５０に対して上記解除命令信号を送信している場合）には、Ｓ２１０の処理を実行せずに、Ｓ１１０に移行する。
【００６２】
一方、充電開始操作がなされていない場合には（Ｓ１３０でＮｏ）、ユーザインタフェース３８を通じてユーザから充電停止操作がなされているか否かを判断し（Ｓ１４０）、充電停止操作がなされている場合には（Ｓ１４０でＹｅｓ）、Ｓ２４０に移行し、充電装置５０に送信する充電制御信号を、上記禁止命令信号に切り替えることで、充電装置５０による高圧バッテリＢＨの充電動作を禁止する。その後、Ｓ１１０に移行する。尚、充電停止操作がなされた時点で上記充電開始制御処理が並列実行されている場合には、Ｓ３５０（図４）での判断により、充電開始制御処理が終了する。
【００６３】
この他、充電停止操作もなされていない場合（Ｓ１４０でＮｏ）、制御ユニット３７は、停電検知部３３１からの入力信号に基づき、停電が発生したかを判断し、停電が発生していない場合には（Ｓ１７０でＮｏ）、Ｓ１１０に移行する。一方、停電が発生している場合には（Ｓ１７０でＹｅｓ）、充電装置５０に送信する充電制御信号を上記禁止命令信号に切り替えることで（Ｓ１８０）、充電装置５０による高圧バッテリＢＨの充電動作を禁止する。
【００６４】
このようにして充電制御信号出力処理では、ユーザインタフェース３８を通じて入力されるユーザの操作信号に従って、充電装置５０による充電動作を禁止／許可する一方、停電が発生した際には、強制的に充電装置５０による充電動作を一旦禁止する。
【００６５】
その後、制御ユニット３７は、Ｓ１９０に移行し、高圧バッテリＢＨの充電制御に関する動作モードが自動再開モードに設定されているか否かを判断して、動作モードに対応した処理を実行する。尚、上記充電制御に関する動作モードは、自動再開モード及び手動再開モードからなり、動作モードが手動再開モードに設定されている場合、制御ユニット３７は、停電発生後、ユーザインタフェース３８を通じて充電開始操作がなされるまでは、高圧バッテリＢＨの充電動作を禁止した状態に保持する。一方、動作モードが自動再開モードに設定されている場合には、停電解消後、所定条件が満足された時点で、高圧バッテリＢＨの充電禁止状態を解除して、充電装置５０に高圧バッテリＢＨの充電を再開させる。この動作モードは、ユーザインタフェース３８を通じたユーザのモード切替操作によって切り替えられ、動作モードの設定値は、記憶ユニット３９に記憶保持される。
【００６６】
具体的に、Ｓ１９０で動作モードが自動再開モードであると判断した場合（Ｓ１９０でＹｅｓ）、制御ユニット３７は、Ｓ２００に移行して、図５に示す自動再開処理の実行を開始する。その後、Ｓ１１０に移行する。一方、動作モードが手動再開モードであると判断した場合には（Ｓ１９０でＮｏ）、自動再開処理の実行を開始せずに、Ｓ１１０に移行する。
【００６７】
ここで、自動再開処理の内容を、図５を用いて説明すると、この自動再開処理では、図５に示すように、停電が解消されるか、ユーザインタフェース３８を通じて充電停止操作がなされるか、電源ソケット３１と充電装置５０との充電プラグＰＬを介した接続が解除されるまで待機する（Ｓ４１０，Ｓ４２０）。
【００６８】
そして、停電検知部３３１からの入力信号に基づき、停電が解消されたと判断すると（Ｓ４１０でＹｅｓ）、上述した図４に示す充電開始制御処理を実行する（Ｓ４３０）。即ち、電流計１５からの入力信号を参照することにより特定される宅内の電流使用量Ａ０と、充電時に使用される電流量Ａ１と、電流上限値Ａｘと、余裕量αと、に基づき、宅内の電流使用量Ａ０が、充電を開始しても停電が再発生しない十分な状態（Ａｓ＋α≦Ａｘである状態）になるまで待機し、宅内の電流使用量Ａ０が充電を開始しても停電が再発生しない十分な状態になった時点で、充電装置５０に送信する充電制御信号を、禁止命令信号から解除命令信号に切り替えることにより、この時点から充電装置５０に高圧バッテリＢＨの充電を開始させる。停電が解消された場合には、このような内容の充電開始制御処理の実行後、当該自動再開処理を終了する。
【００６９】
一方、停電が解消されない状態で、充電停止操作がなされるか、電源ソケット３１と充電装置５０との充電プラグＰＬを介した接続が解除されると（Ｓ４２０でＹｅｓ）、Ｓ４３０の処理を実行せずに、当該自動再開処理を終了する。動作モードが自動再開モードに設定されている場合、制御ユニット３７は、このようにして、停電解消後、再停電が生じないようなタイミングで、充電装置５０に高圧バッテリＢＨの充電を再開させる。
【００７０】
一方、このような充電制御装置３０からの充電制御信号を受ける充電装置５０の制御ユニット５７は、検知部５３１からの入力信号に基づき、充電ユニット５３がコネクタ５１を通じて外部電源からの電力供給を受け高圧バッテリＢＨを充電可能な状態になると、図６に示す状態切替処理を実行することで、充電制御信号に対応したリレー回路５９のオン／オフ制御を行う。
【００７１】
状態切替処理を開始すると、制御ユニット５７は、まず、リレー回路５９をオフに設定して、充電ユニット５３による高圧バッテリＢＨの充電動作を禁止する（Ｓ５１０）。Ｓ５１０での処理を終えると、制御ユニット５７は、通信インタフェース５５を通じて充電制御装置３０から充電制御信号として解除命令信号が入力されているか否かを判断し（Ｓ５２０）、解除命令信号が入力されている場合には（Ｓ５２０でＹｅｓ）、リレー回路５９をオンに切り替えて、充電ユニット５３による高圧バッテリＢＨの充電動作を許可する（Ｓ５７０）。その後、Ｓ５２０に移行する。
【００７２】
一方、制御ユニット５７は、通信インタフェース５５を通じて充電制御装置３０から解除命令信号が入力されていない場合、充電制御装置３０から充電制御信号として禁止命令信号が入力されているか否かを判断し、禁止命令信号が入力されている場合には（Ｓ５３０でＹｅｓ）、リレー回路５９をオフに切り替えて、充電ユニット５３による高圧バッテリＢＨの充電動作を禁止する（Ｓ５９０）。その後、Ｓ５２０に移行する。
【００７３】
この他、制御ユニット５７は、通信インタフェース５５を通じて充電制御装置３０から禁止命令信号及び解除命令信号のいずれも受信できない状態が一定時間継続しているか否かによって、充電装置５０と電源ソケット３１との充電プラグＰＬを介した接続が解除されているか否かを判断し、両信号のいずれも受信できない状態が一定時間以上継続している場合には、充電装置５０と電源ソケット３１との充電プラグＰＬを介した接続が解除されていると判断し（Ｓ５４０でＹｅｓ）、リレー回路５９をオフに設定して、当該状態切替処理を終了する。
【００７４】
一方、充電制御装置３０から上記充電制御信号の入力が継続している場合には、充電装置５０と電源ソケット３１との充電プラグＰＬを介した接続が継続されていると判断して（Ｓ５４０でＮｏ）、Ｓ５２０に移行する。
【００７５】
このようにして、制御ユニット５７は、通信インタフェース５５を介して入力される充電制御信号が、禁止命令信号から解除命令信号に切り替わると、充電ユニット５３による高圧バッテリＢＨの充電動作を開始させ、入力される充電制御信号が解除命令信号から禁止命令信号に切り替わると、充電ユニット５３による高圧バッテリＢＨの充電動作を禁止する。そして、充電装置５０と充電制御装置３０との接続が解除された時点で、リレー回路５９をオフに設定して、当該状態切替処理を終了する。
【００７６】
以上、本実施例の充電システム１の構成について説明したが、本実施例によれば、宅内の電流使用量Ａ０が予め定められた電流上限値Ａｘを超えてアンペアブレーカ１１が落ち、宅内の各配線への電力供給が停止すると、停電解消後の充電装置５０による高圧バッテリＢＨの充電動作を禁止する。そして、この禁止状態を宅内の電流使用量Ａ０が十分に下がるまで継続する。換言すれば、本実施例の充電システム１では、従来技術のように、停電が解消した後、すぐさま無条件にバッテリの充電動作を再開しないようにする。
【００７７】
従って、本実施例の充電システム１によれば、アンペアブレーカ１１の操作による停電解消後、宅内の電流使用量Ａ０がブレーカ落ちする前とさほどかわっていないことが原因で、再度、短い期間で停電が生じるのを抑制することができる。従って、本実施例によれば、利便性の高い充電システム１をユーザに提供することができる。
【００７８】
特に、本実施例の充電システム１によれば、停電発生時に、電源ソケット３１から充電プラグＰＬが抜かれなくても、自動で充電装置５０による高圧バッテリＢＨの充電動作を禁止するので、ユーザにとっては、プラグを抜く手間や充電を禁止する操作をする手間が省け、便利である。
【００７９】
また、動作モードを自動再開モードに設定しておけば、停電解消後に、充電開始操作をしなくても、適切なタイミングで、充電装置５０による充電動作が再開されるので、停電解消後に、充電開始操作をし忘れて、必要なときにバッテリの充電が完了していないといったトラブルが発生するのを抑制することができる。
【００８０】
また、本実施例の充電システム１によれば、宅内のユーザインタフェース３８を通じて充電の開始を操作することができるので、手動再開モードであっても、停電解消後に、充電装置５０による高圧バッテリＢＨの充電動作を再開させる操作が簡単である。即ち、車両内の高圧バッテリＢＨを充電するための電源ソケット３１は、ユーザが生活するリビングやキッチンから離れた室外（家の外壁等）に設置されるのが通常であり、電源ソケット３１からプラグを抜いたり差したりするためには、ユーザがリビングから移動する必要があるが、本実施例によれば、充電制御装置３０をリビングやキッチンなどのユーザが良く利用する部屋に設置しておくことで、高圧バッテリＢＨの充電開始操作や充電停止操作を簡単に行うことができ、勝手のよい充電システム１をユーザに提供することができる。
【００８１】
尚、本実施例の充電制御装置３０において電源ソケット３１は、充電制御装置３０の他の構成部位から離れて配置することができる。即ち、電源ソケット３１に繋がる電源線を宅内に配線して、充電制御装置３０の本体部については、リビングやキッチンなどのユーザが良く利用する部屋に設置し、電源ソケット３１については、車両を駐車する場所に近い宅内の外壁等に設置することができる。このように、充電制御装置３０を配置すれば、ユーザによる充電開始操作や充電停止操作が非常に簡単になり、利便性の高い充電システム１を提供することができる。
【００８２】
ここで、本実施例と「特許請求の範囲」との対応関係を説明する。アンペアブレーカ１１は、「特許請求の範囲」記載の制限器に対応し、充電ユニット５３は、充電手段に対応する。また、停電が発生すると充電制御装置３０の制御ユニット３７が禁止命令信号を通信インタフェース３５を通じて充電装置５０に送信する処理（Ｓ１８０）及び充電装置５０の制御ユニット５７が禁止命令信号を受信すると、リレー回路５９をオフにして充電動作を禁止する処理（Ｓ５９０）は、充電制限手段に対応し、特に充電制御装置３０の処理（Ｓ１８０）は、制限命令手段に対応し、充電装置５０の処理（Ｓ５９０）は、制限命令受付手段に対応する。
【００８３】
また、停電解消後、充電時の総電流量Ａｓ＋αが電流上限値Ａｘ以下となった時点で解除命令信号を通信インタフェース３５を通じて充電装置５０に送信する処理（Ｓ４３０，Ｓ３６０）及び充電装置５０の制御ユニット５７が解除命令信号を受信すると、リレー回路５９をオンに設定して充電動作を再開させる処理（Ｓ５７０）は、請求項７〜９記載の制限解除手段に対応する。特に充電制御装置３０の処理（Ｓ３６０）は、解除命令手段に対応し、充電装置５０の処理（Ｓ５７０）は、解除命令受付手段に対応する。
【００８４】
この他、動作モードが手動再開モードに設定されている場合には、停電解消後、充電開始操作がなされてから解除命令信号を充電装置５０に送信する処理（Ｓ２１０，Ｓ３６０）及び充電装置５０の制御ユニット５７が解除命令信号を受信すると、リレー回路５９をオンに設定して充電動作を再開させる処理（Ｓ５７０）は、請求項３，４記載の制限解除手段に対応する。
【００８５】
尚、変形例として、充電制御装置３０は、手動再開モードにおいて、停電解消後に充電開始操作がなされた場合には、図４に示す充電開始制御処理を実行せずに、ただちに解除命令信号を充電装置５０に送信する構成にされてもよい。
［第二実施例］
続いて、第二実施例について説明する。但し、第二実施例の充電システムは、第一実施例の充電システム１と共通点も多いので、以下では、第一実施例と共通する構成に同一符号を付し、当該構成の説明を適宜省略する。第二実施例の充電システムでは、充電制御装置３０（図１参照）の電源ソケット３１に、図７に示す構成の充電装置６０が電源プラグＰＬを介して接続される。この充電装置６０は、コネクタ５１と、第一実施例の充電ユニット５３に対応する充電ユニット６３と、通信インタフェース５５と、第一実施例の制御ユニット５７に対応する制御ユニット６７と、リレー回路５９とを備える。
【００８６】
更に、充電ユニット６３は、第一実施例の機能に加えて、充電時の電流量Ａ１を制御ユニット６７により設定された値に調整可能な機能を有する。即ち、本実施例の充電ユニット６３は、検知部５３１に加えて、充電時の電流量Ａ１を制御ユニット６７により設定された値に調整可能な調整部６３１を備えた構成にされている。電流量Ａ１は、第一実施例と同様、定電流充電時の電流量であり、充電時に使用する最大電流量に対応する。
【００８７】
第二実施例の充電制御装置３０は、充電動作の禁止状態を解除するように命令する上記解除命令信号を、充電ユニット６３に電流量Ａ１として設定すべき電流量Ａｃ（以下、「設定指令値Ａｃ」と表現する。）の情報を含んだ信号として送信する構成にされており、制御ユニット６７は、この解除命令信号を充電制御装置３０から通信インタフェース５５を介して受信すると、解除命令信号が示す設定指令値Ａｃに基づき、充電時の電流量Ａ１を、この解除命令信号が示す設定指令値Ａｃに設定する。
【００８８】
詳述すると、制御ユニット６７は、検知部５３１からの入力信号に基づき、充電ユニット６３がコネクタ５１を通じて電力供給を受け高圧バッテリＢＨを充電可能な状態になると、図８に示す第二実施例の状態切替処理を実行する。そして、この状態切替処理では、概ね第一実施例と同様の処理を実行するが、通信インタフェース５５を介して充電制御装置３０から解除命令信号を受信した場合には、リレー回路５９をオンに切り替えるＳ５７０の処理に先駆けて、充電ユニット６３に対して充電時の電流量Ａ１を、受信した解除命令信号が示す設定指令値Ａｃに設定する処理を行う（Ｓ５６０）。
【００８９】
このようにして制御ユニット６７は、解除命令信号が示す設定指令値Ａｃが切り替わる度、充電ユニット６３に対する電流量Ａ１の設定値を変更する。
一方、第二実施例の充電制御装置３０は、図４に示す充電開始制御処理に代えて、図９に示す充電開始制御処理を実行する。尚、第二実施例の充電制御装置３０は、第一実施例と比較して制御ユニット３７が実行する充電開始制御処理の内容が異なる程度であるため、本実施例では充電制御装置３０の説明として、図９を用いて、第二実施例の制御ユニット３７が実行する充電開始制御処理を選択的に説明する。この充電開始制御処理は、第一実施例と同様、Ｓ２１０又はＳ４３０で実行される。
【００９０】
図９に示す充電開始制御処理を開始すると、制御ユニット３７は、電流計１５からの入力信号を参照して現在における宅内の電流使用量Ａ０を特定する（Ｓ６１０）。そして、記憶ユニット３９が記憶する電流上限値Ａｘから、上記特定した宅内の電流使用量Ａ０を減算して、ブレーカ落ちを原因とする停電が発生しない範囲で、高圧バッテリＢＨの充電動作に使用可能な電流量Ａｐ（＝Ａｘ−Ａ０）を算出する（Ｓ６２０）。また、この算出後には、使用可能電流量Ａｐから余裕量βを減算し（Ｓ６３０）、使用可能電流量Ａｐを補正する（Ａｐ←Ａｐ−β）。ここで余裕量βを減算するのは、使用可能電流量Ａｐを低く見積もることで、充電開始後に停電が発生する確率を抑えるためである。この余裕量βは、充電システムの使い勝手を考慮してゼロ以上の値で設計者が任意に定めることができる。
【００９１】
また、使用可能電流量Ａｐの補正後には、当該補正後の使用可能電流量Ａｐが、充電ユニット６３に設定可能な電流量Ａ１の下限値未満であるか否かを判断し（Ｓ６４０）、下限値未満である場合には（Ｓ６４０でＹｅｓ）、高圧バッテリＢＨの充電を下限値で開始しても停電する可能性が高いので、容量オーバーの旨のメッセージを、ユーザインタフェース３８に表示し（Ｓ６５０）、Ｓ６６０に移行する。
【００９２】
そして、Ｓ６６０では、第一実施例のＳ３５０と同様の判断を行い、停電が発生するか、充電停止操作がなされるか、接続解除がなされた場合には（Ｓ６６０でＹｅｓ）、当該充電開始制御処理を終了する。一方、停電が発生しておらず、充電停止操作もなされておらず、接続解除もなされていない場合には（Ｓ６６０でＮｏ）、Ｓ６１０以降の処理を再度実行する。
【００９３】
この他、Ｓ６４０で、補正後の使用可能電流量Ａｐが充電ユニット６３に設定可能な電流量Ａ１の下限値以上であると判断すると（Ｓ６４０でＮｏ）、制御ユニット３７は、使用可能電流量Ａｐが予め定められた標準値Ａｒより大きいか否かを判断し（Ｓ６７０）、使用可能電流量Ａｐが標準値Ａｒよりも大きい場合には（Ｓ６７０でＹｅｓ）、充電装置６０に送信する充電制御信号を、設定指令値Ａｃとして標準値Ａｒを示した解除命令信号に切り替える（Ｓ６８０）。その後、当該充電開始制御処理を終了する。尚、標準値Ａｒとしては、充電時間の短縮を目的として、例えば、充電ユニット６３に設定可能な電流量Ａ１の上限値を採用することができる。
【００９４】
一方、補正後の使用可能電流量Ａｐが標準値Ａｒ以下である場合には（Ｓ６７０でＮｏ）、充電装置６０に送信する充電制御信号を、設定指令値Ａｃとして補正後の使用可能電流量Ａｐを示した解除命令信号に切り替える（Ｓ６９０）。その後、当該充電開始制御処理を終了する。
【００９５】
尚、充電ユニット６３に対して電流量Ａ１を離散的な値でしか設定することができない場合、Ｓ６９０では、補正後の使用可能電流量Ａｐ以下の範囲で、充電ユニット６３に対して設定可能な電流量Ａ１の最大値を、設定指令値Ａｃとして記して、解除命令信号を充電装置６０に送信することができる。
【００９６】
以上、第二実施例について説明したが、本実施例によれば、宅内の電流使用量Ａ０に基づいて、充電に使用可能な電流量Ａｐを設定し、この電流量を逸脱しない（超えない）範囲内で、高圧バッテリＢＨの充電を行うので、停電解消後の再停電を抑制することができるだけでなく、高圧バッテリＢＨの充電開始による停電の発生自体を抑制することができる。
【００９７】
但し、本実施例のように、高圧バッテリＢＨの充電開始時（停電解消後の充電開始時も含む）に、その時点での宅内の電流使用量Ａ０に基づき、高圧バッテリＢＨの充電に用いる電流量Ａ１を設定する手法の場合には、電流量Ａ１の設定を簡単に行うことができるものの、充電開始後の宅内の電流使用量Ａ０に合わせて充電に用いる電流量Ａ１を変更することができないため、高圧バッテリＢＨの充電開始後に、宅内の電流使用量Ａ０が充電以外の原因で大きく上昇すると停電が発生してしまう。従って、構成が複雑にはなるものの、充電システムは、高圧バッテリＢＨの充電中にも、逐一宅内の電流使用量Ａ０を監視し、最新の電流使用量Ａ０に基づき、充電時の電流量Ａ１を設定変更するように構成されてもよい。
【００９８】
ここで、本実施例と「特許請求の範囲」との対応関係を説明する。充電ユニット６３は、「特許請求の範囲」記載の充電手段に対応する。また、停電が発生すると充電制御装置３０の制御ユニット３７が禁止命令信号を充電装置６０に送信する処理（Ｓ１８０）及び充電装置６０の制御ユニット６７が禁止命令信号を受信するとリレー回路５９をオフに設定して充電動作を禁止する処理（Ｓ５９０）は、充電禁止手段（請求項１０，１１）に対応し、特に充電制御装置３０の処理（Ｓ１８０）は、禁止命令手段に対応し、充電装置６０の処理（Ｓ５９０）は、禁止命令受付手段に対応する。
【００９９】
この他、停電解消後、電流計１５からの入力信号に基づき特定した宅内の電流使用量Ａ０に基づき、充電ユニット６３に充電時の電流量Ａ１として設定すべき電流量（設定指令値Ａｃ）を決定し、これを記した解除命令信号を通信インタフェース３５を通じて送信する処理（Ｓ４３０，Ｓ６８０，Ｓ６９０）及び充電装置６０の制御ユニット６７が解除命令信号を受信すると、解除命令信号が示す設定指令値Ａｃを充電ユニット６３に充電時の電流量Ａ１として設定し、この電流量Ａ１にて充電動作を再開させる処理（Ｓ５６０，Ｓ５７０）は、請求項１１記載の設定変更手段に対応する。特に充電制御装置３０の処理（Ｓ４３０，Ｓ６８０，Ｓ６９０）は、通知手段に対応し、充電装置６０の処理（Ｓ５６０，Ｓ５７０）は、変更手段に対応する。
［第三実施例］
第三実施例の充電システムは、充電ユニット６３（図７参照）に設定すべき電流量を、充電装置６０で算出するようにしたものである。即ち、第三実施例の充電システムは、第二実施例の充電システムと同様、図１に示す充電制御装置３０の電源ソケット３１に図７に示す充電装置６０が接続されて構成されるが、本実施例では、充電制御装置３０の制御ユニット３７が、図１０（ａ）に示す充電制御信号出力処理を実行し、充電装置６０の制御ユニット６７が、図１１に示す状態切替処理を実行する。図１０（ａ）は、第三実施例の充電制御信号出力処理を表すフローチャートである。
【０１００】
以下では、充電制御装置３０の制御ユニット３７が実行する図１０（ａ）に示す充電制御信号出力処理及び充電装置６０の制御ユニット６７が実行する図１１に示す状態切替処理について説明するが、これら制御ユニット３７及び制御ユニット６７が実行する処理に関して、上述した実施例と同一の手順には、同一符号（ステップ番号）を付し、これらの詳細な説明を適宜省略する。
【０１０１】
まず、充電制御装置３０の制御ユニット３７が実行する充電制御信号出力処理について説明する。電源ソケット３１に充電プラグＰＬを介して充電装置６０が接続されることで、図１０（ａ）に示す充電制御信号出力処理を開始すると、制御ユニット３７は、概ね第一実施例及び第二実施例と同様の処理を実行するものの、充電装置６０の接続直後（Ｓ１２０でＹｅｓ）、又は、ユーザインタフェース３８を通じて充電開始操作がなされた場合（Ｓ１３０でＹｅｓ）には、Ｓ２２０に移行して、次の処理を実行する。
【０１０２】
Ｓ２２０では、充電制御信号として、記憶ユニット３９が記憶する電流上限値Ａｘ及び最新の宅内の電流使用量Ａ０を記した解除命令信号の送信を開始する。即ち、Ｓ２２０では、充電装置６０に送信する充電制御信号を、記憶ユニット３９が記憶する電流上限値Ａｘ及び電流計１５の入力信号から特定される最新の宅内の電流使用量Ａ０を記した解除命令信号に切り替える。その後、制御ユニット３７は、Ｓ１１０に移行する。このようにして制御ユニット３７は、Ｓ２２０の処理後、充電制御信号を禁止命令信号に切り替えるまで、解除命令信号に記す宅内の電流使用量Ａ０を逐一最新値に更新し、記憶ユニット３９が記憶する電流上限値Ａｘ及び最新の電流使用量Ａ０を逐一充電装置６０に通知する。
【０１０３】
一方、停電が発生したときに実行する自動再開処理（Ｓ２００）では、具体的に図１０（ｂ）に示す処理を実行する。図１０（ｂ）は、第三実施例の自動再開処理を表すフローチャートである。この自動再開処理では、概ね第一及び第二実施例と同様の処理を実行するものの、停電が解消した場合には（Ｓ４１０でＹｅｓ）、Ｓ４４０に移行して次の処理を実行する。即ち、Ｓ４４０では、Ｓ２２０と同様、充電装置６０に送信する充電制御信号を、記憶ユニット３９が記憶する電流上限値Ａｘ及び最新の宅内の電流使用量Ａ０を記した解除命令信号に切り替えて、停電解消後には、再度停電が発生するか充電停止操作がなされて、充電制御信号を禁止命令信号に切り替えるまで、逐一解除命令信号に記す宅内の電流使用量Ａ０を最新値に更新して、記憶ユニット３９が記憶する電流上限値Ａｘ及び最新の電流使用量Ａ０を充電装置６０に通知する。
【０１０４】
また、このような解除命令信号を受ける充電装置６０は、図１１に示すように、解除命令信号を受信すると（Ｓ５２０でＹｅｓ）、Ｓ５８０及びＳ５８５の処理を実行する。具体的に、Ｓ５８０では、既にリレー回路５９がオンに設定されている状態であるか否かを判断し、リレー回路５９がオンに設定されている場合には（Ｓ５８０でＹｅｓ）、Ｓ５８５の処理を実行せずに、Ｓ５２０に移行する。
【０１０５】
一方、リレー回路５９がオフに設定されている場合には（Ｓ５８０でＮｏ）、Ｓ５８５に移行し、図１２に示す充電開始制御処理を実行する。充電装置６０の制御ユニット６７は、この充電開始制御処理を開始すると、受信した解除命令信号が示す電流上限値Ａｘ及び宅内の電流使用量Ａ０に基づき、Ｓ６２０の処理と同様、高圧バッテリＢＨの充電動作に使用可能な電流量Ａｐ（＝Ａｘ−Ａ０）を算出する（Ｓ７１０）。その後、Ｓ６３０の処理と同様、Ｓ７１０で算出した使用可能電流量Ａｐから余裕量βを減算し（Ｓ７２０）、使用可能電流量Ａｐを補正する（Ａｐ←Ａｐ−β）。
【０１０６】
また、制御ユニット６７は、補正後の使用可能電流量Ａｐが、充電ユニット６３に設定可能な電流量Ａ１の下限値未満であるか否かを判断し（Ｓ７３０）、下限値未満である場合には（Ｓ７３０でＹｅｓ）、当該充電開始制御処理を終了して、Ｓ５２０に移行する。このようにして、補正後の使用可能電流量Ａｐが、充電ユニット６３に設定可能な電流量Ａ１の下限値未満である場合には、充電制御装置３０から受信した充電動作の禁止解除の命令を無視して、充電動作の禁止状態（リレー回路５９をオフした状態）を継続する。
【０１０７】
一方、補正後の使用可能電流量Ａｐが、充電ユニット６３に設定可能な電流量Ａ１の下限値以上である場合には（Ｓ７３０でＮｏ）、この補正後の使用可能電流量Ａｐが予め定められた標準値Ａｒより大きいか否かを判断し（Ｓ７５０）、使用可能電流量Ａｐが標準値Ａｒよりも大きい場合には（Ｓ７５０でＹｅｓ）、充電ユニット６３に対し充電時の電流量Ａ１として標準値Ａｒを設定した後（Ｓ７６０）、リレー回路５９をオンに設定することで（Ｓ７７０）、充電ユニット６３に電流量Ａｒで高圧バッテリＢＨの充電動作を開始させる。その後、充電開始制御処理を終了して、Ｓ５２０に移行する。
【０１０８】
これに対し、補正後の使用可能電流量Ａｐが標準値Ａｒ以下である場合には（Ｓ７５０でＮｏ）、充電ユニット６３に対し、充電時の電流量Ａ１として上記補正後の使用可能電流量Ａｐを設定した後（Ｓ７８０）、リレー回路５９をオンに設定することで（Ｓ７９０）、充電ユニット６３に、この時点での使用可能電流量Ａｐで高圧バッテリＢＨの充電動作を開始させる。その後、充電開始制御処理を終了して、Ｓ５２０に移行する。
【０１０９】
以上、第三実施例について説明したが、本実施例の充電システムによれば、第二実施例と同様、高圧バッテリＢＨの充電開始による停電の発生を抑制することができる。
［第四実施例］
続いて、第四実施例について説明する。但し、第四実施例の充電システムは、分電盤１０に電流計１５が設けられていないこと、及び、充電制御装置３０の制御ユニット３７が実行する充電制御信号出力処理の内容が異なることを除けば第一実施例と同一構成であるため、以下では、制御ユニット３７が実行する充電制御信号出力処理の内容を選択的に説明する。また、第一実施例と同一の手順には、同一ステップ番号を付し、これらの手順の詳細な説明を適宜省略する。
【０１１０】
第一実施例の内容から理解できるように、第四実施例においても、充電装置５０は、充電制御信号として通信インタフェース５５を通じて解除命令信号を受信すると、リレー回路５９をオンに切り替えて、充電ユニット５３による高圧バッテリＢＨの充電動作を開始し、充電制御信号として禁止命令信号を受信すると、リレー回路５９をオフに切り替えて、充電ユニット５３による高圧バッテリＢＨの充電動作を禁止する。
【０１１１】
この充電装置５０が充電プラグＰＬを介して電源ソケット３１に接続されると、充電制御装置３０の制御ユニット３７は、図１３に示す充電制御信号出力処理を開始する。この充電制御信号出力処理では、第一実施例と概ね同様の処理を実行するが、ユーザインタフェース３８を通じて待機時間の設定操作がなされた場合には（Ｓ１５０でＹｅｓ）、その操作内容に従って、記憶ユニット３９が記憶する待機時間Ｔｗの設定値を更新する（Ｓ１６０）。尚、記憶ユニット３９が記憶する待機時間Ｔｗの設定値は、停電解消後、充電動作を再開するまでの待ち時間である（詳細後述）。
【０１１２】
また、停電発生後のＳ２００では、図１４に示す自動再開処理を開始する。この自動再開処理を充電制御信号出力処理と並列に行う点は、第一実施例と同一である。図１４に示す自動再開処理を開始すると、制御ユニット３７は、第一実施例と同様に、Ｓ４１０，Ｓ４２０の処理を行う。そして、停電が解消すると（Ｓ４１０でＹｅｓ）、この時点からの経過時間Ｔｍの計測を開始する（Ｓ４６０）。
【０１１３】
その後には、停電解消時からの経過時間Ｔｍが記憶ユニット３９により記憶保持される待機時間Ｔｗの設定値を超えるか、停電が発生するか、充電停止操作がなされるか、電源ソケット３１からの充電装置５０の接続解除がなされるまで待機する（Ｓ４７０，Ｓ４８０）。
【０１１４】
そして、停電が発生するか、充電停止操作がなされるか、接続解除がなされると（Ｓ４８０でＹｅｓ）、当該自動再開処理を終了する。一方、停電解消時からの経過時間Ｔｍが待機時間Ｔｗの設定値を超えると（Ｓ４７０でＹｅｓ）、通信インタフェース３５を通じて充電装置５０に送信する充電制御信号を、禁止命令信号から解除命令信号に切り替えることにより、充電装置５０に、停電を契機に禁止状態としていた高圧バッテリＢＨの充電動作を再開させる（Ｓ４９０）。その後、当該自動再開処理を終了する。
【０１１５】
以上に、第四実施例について説明したが、本実施例では、停電が発生する契機となった電気製品の使用による宅内の電流使用量Ａ０の上昇は一時的であるケースが多いという統計的な傾向から、停電解消時からの経過時間Ｔｍが待機時間Ｔｗの設定値を超えた時点で充電動作の禁止状態を解除することで、ユーザが充電再開のためにユーザインタフェース３８を操作しなくても、充電による再停電の発生を抑えて、適切なタイミングに自動で高圧バッテリＢＨの充電動作を再開できるようにした。
【０１１６】
本実施例によれば、簡単な処理手順で、充電装置５０による高圧バッテリＢＨの充電動作を、再停電が発生しないように制御でき、宅内の電流使用量Ａ０を特定するために電流計１５を設けなくて済む。従って、本実施例によれば、比較的安価に、再停電を抑制可能な充電システムを構築することができて、便利である。
【０１１７】
また、本実施例と「特許請求の範囲」との対応関係は、次の通りである。即ち、停電解消後、待機時間Ｔｗが経過した時点で解除命令信号を、通信インタフェース３５を通じて充電装置５０に送信する処理（Ｓ４９０）及び充電装置５０の制御ユニット５７が解除命令信号を受信すると、リレー回路５９をオンに設定して充電ユニット５３による充電動作を再開させる処理（Ｓ５７０）は、請求項５，６記載の制限解除手段に対応する。
［第五実施例］
続いて、第五実施例について説明する。図１５に示すように第五実施例の充電システム２については、宅内の設備が従来と同一である点が注目すべき点である。即ち、第五実施例の充電システム２において、本発明に係る特徴は、全て充電装置７０が有しており、本実施例によれば、宅内設備を変更することなく、高圧バッテリＢＨの充電再開による再停電を抑制することができる。
【０１１８】
以下、第五実施例の充電システム２の詳細構成を説明するが、第一実施例と同一構成の部位には同一符号を付して説明を適宜省略する。図１５に示すように、本実施例の充電装置７０は、車両５に搭載され、充電プラグＰＬを介して、宅内に設けられた電源ソケット１９のいずれかに接続される。電源ソケット１９の上流地点には、アンペアブレーカ１１が設置されており、第一実施例と同様、宅内の電流使用量Ａ０が所定の上限値Ａｘを超えると、アンペアブレーカ１１の機能により電源ソケット１９への電力供給は停止される。
【０１１９】
この電源ソケット１９からの電力供給を受けて車両５に設置された高圧バッテリＢＨを充電する充電装置７０は、図１５に示すように、コネクタ５１と、充電ユニット５３と、第一実施例の制御ユニット５７に対応する制御ユニット７７と、ユーザが操作可能な各種操作スイッチ及び表示デバイスを備えるユーザインタフェース７８と、リレー回路５９とを備える。
【０１２０】
また、制御ユニット７７は、ユーザインタフェース７８を通じて充電開始条件についての設定開始操作がなされると、図１６に示す充電制御処理を実行する。
充電制御処理を開始すると、制御ユニット７７は、ユーザインタフェース７８の表示デバイスに、充電開始時刻の入力画面を表示し、ユーザインタフェース７８を通じて充電開始時刻Ｔｓの入力操作を受け付けて、入力された充電開始時刻Ｔｓを記憶保持する（Ｓ９１０）。この後、制御ユニット７７は、停電解消後における充電動作再開までの待機時間Ｔｗの入力操作を、ユーザインタフェース７８を通じて受け付けて、入力された待機時間Ｔｗを記憶保持する（Ｓ９２０）。尚、充電開始時刻Ｔｓ及び待機時間Ｔｗは、低圧バッテリからの電力供給を受けて常時記憶保持可能な制御ユニット７７が有する記憶回路（図示せず）に記憶保持される。ここでは充電開始時刻Ｔｓとして日時の入力を受け付けることができる。
【０１２１】
Ｓ９２０までの処理を終えると、制御ユニット７７は、上記入力された充電開始時刻Ｔｓが到来するまで待機し（Ｓ９３０）、充電開始時刻Ｔｓが到来すると（Ｓ９３０でＹｅｓ）、充電装置７０が充電プラグＰＬを介して電源ソケット１９に接続されているか否かを判断する（Ｓ９４０）。具体的には、検知部５３１からの入力信号に基づき、充電ユニット５３がコネクタ５１を通じて外部電源からの電力供給を受け高圧バッテリＢＨを充電可能な状態になっているか否かを判断する。
【０１２２】
そして、接続されていないと判断すると（Ｓ９４０でＮｏ）、当該充電制御処理を終了する。一方、接続されていると判断すると（Ｓ９４０でＹｅｓ）、リレー回路５９をオンして充電動作を開始する（Ｓ９５０）。尚、リレー回路５９は、第一実施例と同様、初期状態でオフに設定されているものとする。また、第一実施例と同様、制御ユニット７７は、検知部５３１からの入力信号に基づき、充電装置７０が電源ソケット１９に接続されたときにリレー回路５９を一旦オフする構成にされてもよい。
【０１２３】
Ｓ９５０での処理を終えると、制御ユニット７７は、停電が発生するか（Ｓ９６０）、ユーザインタフェース７８を通じて充電の中断操作がなされるか（Ｓ９７０）、高圧バッテリＢＨが満充電となる（Ｓ９８０）まで待機する。
【０１２４】
尚、充電ユニット５３には高圧バッテリＢＨの満充電を検知して充電動作を停止する機能が備わっているため、高圧バッテリＢＨが満充電となったか否かの判断は、充電ユニット５３の動作を監視して、満充電による充電ユニット５３の充電動作の停止を検知することにより実現することができる。また、停電が発生したか否かの判断については、検知部５３１からの入力信号に基づき判断することができる。付言すると、検知部５３１の構成によっては、宅内の停電と電源ソケット１９からの充電装置７０の接続解除とを区別できないが、ここでは、これを問題としない。
【０１２５】
そして、ユーザインタフェース７８を通じて中断操作がなされるか（Ｓ９７０でＹｅｓ）、高圧バッテリＢＨが満充電となると（Ｓ９８０でＹｅｓ）、リレー回路５９をオフに設定して（Ｓ９９０）、当該充電制御処理を終了する。
【０１２６】
一方、停電が発生すると（Ｓ９６０でＹｅｓ）、制御ユニット７７は、リレー回路５９をオフに設定した後（Ｓ１０００）、停電が解消するか（Ｓ１０１０）、所定のタイムアウト時間が経過する（Ｓ１０２０）まで待機する。尚、停電が解消したか否かは、検知部５３１からの入力信号に基づき判断する。
【０１２７】
そして、停電が解消せずに所定のタイムアウト時間が経過した場合には（Ｓ１０２０でＹｅｓ）、ブレーカ落ち以外の原因でコネクタ５１からの電力供給が停止したと取り扱って、当該充電制御処理を終了する。
【０１２８】
一方、停電が解消すると（Ｓ１０１０でＹｅｓ）、制御ユニット７７は、Ｓ１０３０に移行し、停電解消時からの経過時間Ｔｍの計測を開始する。
その後、制御ユニット７７は、停電解消時からの経過時間ＴｍがＳ９２０で入力された待機時間Ｔｗを超えるか（Ｓ１０４０）、ユーザインタフェース７８を通じて充電の中断操作がなされる（Ｓ１０５０）まで待機し、中断操作がなされると（Ｓ１０５０でＹｅｓ）、当該充電制御処理を終了する。これに対し、停電解消時からの経過時間Ｔｍが待機時間Ｔｗを超えると（Ｓ１０４０でＹｅｓ）、リレー回路５９をオンに設定して、充電ユニット５３に高圧バッテリＢＨの充電動作を再開させる（Ｓ１０６０）。その後、Ｓ９６０に移行する。
【０１２９】
以上、第五実施例について説明したが、本実施例によれば、充電装置７０が独立して高圧バッテリＢＨの充電動作を制御するので、宅内設備を変更することなく、宅内の再停電を抑制することができる。換言すると、高圧バッテリＢＨの充電動作によって停電が発生した際の再停電を抑制可能な充電システムを簡単に構築することができる。
［その他］
以上に、本発明の実施例について説明したが、本発明は、上記実施例に限定されるものではなく、種々の態様を採ることができる。
【０１３０】
例えば、本発明は、充電対象の高圧バッテリＢＨを車両５から取り外して充電可能なシステムに適用することができる。即ち、充電装置５０，６０，７０を、車両５内に固定せずに持ち運び可能な構成すると共に、車両５から取り外された高圧バッテリＢＨを装着可能な構成にする。そして、高圧バッテリＢＨの充電時には、高圧バッテリＢＨを車両５から取り外して充電装置５０，６０，７０に装着すると共に、充電装置５０，６０，７０を、充電プラグＰＬを介して電源ソケット３１，１９に接続するといった具合である。このような充電システムに本発明を適用しても、上述した効果を得ることができる。尚、このような充電システムの場合、充電装置５０，６０は、充電制御装置３０と一体に構成することができる。
【０１３１】
この他、上記実施例では、充電プラグＰＬを充電装置５０，６０，７０から着脱可能としたが、充電プラグＰＬは、充電装置５０，６０，７０と一体に構成されてもよい。
【符号の説明】
【０１３２】
１，２…充電システム、５…車両、１０…分電盤、１１…アンペアブレーカ、１３…配線用遮断器群、１５…電流計、１９，３１…電源ソケット、３０…充電制御装置、３３…電源ユニット、３４…バッテリ、３５，５５…通信インタフェース、３７，５７，６７，７７…制御ユニット、３８，７８…ユーザインタフェース、３９…記憶ユニット、５０，６０，７０…充電装置、５１…コネクタ、５３，６３…充電ユニット、５９…リレー回路、１００…モータ、１１０…モータ駆動回路、３１１…接続検知部、３３１…停電検知部、５３１…検知部、６３１…調整部、ＢＨ…高圧バッテリ、ＰＬ…充電プラグ
【図１】
0005482571.tif 000002
【図２】
0005482571.tif 000003
【図３】
0005482571.tif 000004
【図４】
0005482571.tif 000005
【図５】
0005482571.tif 000006
【図６】
0005482571.tif 000007
【図７】
0005482571.tif 000008
【図８】
0005482571.tif 000009
【図９】
0005482571.tif 000010
【図１０】
0005482571.tif 000011
【図１１】
0005482571.tif 000012
【図１２】
0005482571.tif 000013
【図１３】
0005482571.tif 000014
【図１４】
0005482571.tif 000015
【図１５】
0005482571.tif 000016
【図１６】
0005482571.tif 000017